【手続補正書】
【提出日】平成29年3月15日(2017.3.15)
【手続補正１】
【補正対象書類名】特許請求の範囲
【補正対象項目名】全文
【補正方法】変更
【補正の内容】
【特許請求の範囲】
【請求項１】
地理的アプリケーションにおいて商業コンテンツを効率的に提供することを提供するための方法であって、
複数のユーザの第１のサブセットによる、第１の地理的位置を有する第１のビジネス実体への第１の複数の訪問の指示を、１つ以上のコンピューティングデバイスによって受け取ることと、
前記複数のユーザの第２のサブセットによる、第２の地理的位置を有する第２のビジネス実体への第２の複数の訪問の指示を、前記１つ以上のコンピューティングデバイスによって受け取ることと、
前記第１の複数の訪問と前記第２の複数の訪問との間の相関を示す相関係数を、前記１つ以上のコンピューティングデバイスによって決定することと、
前記相関係数が、閾値を超えるかどうかを判定することと、
前記相関係数が閾値を超える場合、第１の物理的位置に位置するユーザデバイス上で表示するために、前記１つ以上のコンピューティングデバイスによって前記第２のビジネス実体に関する商業コンテンツを提供することと、を含む、方法。
【請求項２】
前記相関係数が閾値を超える場合、前記１つ以上のコンピューティングデバイスによって、前記第２のビジネス実体を運営する当事者への電子メッセージであって、前記第１の地理的位置の前記当事者の代わりに前記商業コンテンツを提供するための推奨を含む、電子メッセージを生成することと、
前記当事者に前記電子メッセージを送信することと、を更に含む、請求項１に記載の方法。
【請求項３】
前記第１の複数の訪問の指示および前記第２の複数の訪問の指示を受け取ることが、前記複数のユーザの前記第１のサブセットおよび前記第２のサブセットのうちの少なくとも一部について、チェックイン指示を受け取ることを含み、それぞれのチェックイン指示が、ソーシャルネットワーキングサービスによって生成される、請求項１に記載の方法。
【請求項４】
前記相関係数を決定することが、前記第１のサブセットおよび前記第２のサブセットの両方内に存在する前記複数の前記ユーザのうちのユーザについて、前記ユーザが前記第１のビジネス実体および前記第２のビジネス実体を訪問したそれぞれの時間を比較することを含む、請求項１に記載の方法。
【請求項５】
前記相関係数を決定することが、前記第１の地理的位置と前記第２の地理的位置との間の距離を判定することを更に含む、請求項４に記載の方法。
【請求項６】
前記ユーザが前記第１のビジネス実体および前記第２のビジネス実体を訪問した前記それぞれの時間を比較することが、前記ユーザが前記第１のビジネス実体および前記第２のビジネス実体を訪問したときの（ｉ）時刻、（ｉｉ）季節、または（ｉｉｉ）天候のうちの少なくとも１つに照らして前記それぞれの時間を比較することを含む、請求項４に記載の方法。
【請求項７】
前記相関係数を決定することが、１つ以上のプロセッサによって、前記第１の地理的位置と前記第２の地理的位置とを含む地理的地域における前記複数のユーザのうちの少なくとも一部が辿る経路を復元することを含む、請求項１に記載の方法。
【請求項８】
地理的アプリケーションにおいて商業コンテンツを効率的に使用することに関して自動誘導を提供するためのシステムであって、
通信インターフェースと、
前記通信インターフェースに連結される処理ハードウェアであって、
（ｉ）複数のユーザの第１のサブセットによる、第１の地理的位置を有する第１のビジネス実体への第１の複数の訪問の指示と、（ｉｉ）前記複数のユーザの第２のサブセットによる、第２の地理的位置を有する第２のビジネス実体への第２の複数の訪問の指示とを受け取り、
前記第１の複数の訪問と前記第２の複数の訪問との間の相関を示す相関係数を決定し、
前記相関係数が閾値を超えるかどうかを判定し、
前記相関係数が閾値を超える場合、第１の物理的位置に位置するユーザデバイス上で表示するために、前記第２のビジネス実体に関する商業コンテンツを提供するように構成された、処理ハードウェアと、
を備える、システム。
【請求項９】
前記処理ハードウェアが、
前記相関係数が閾値を超える場合、前記第２のビジネス実体を運営する当事者への電子メッセージであって、前記第１の地理的位置の前記当事者の代わりに前記商業コンテンツを提供するための推奨を含む、電子メッセージを生成し、
前記当事者に前記電子メッセージを送信する
ように更に構成される、請求項８に記載のシステム。
【請求項１０】
前記商業コンテンツが、（ｉ）広告、（ｉｉ）クーポン、または（ｉｉｉ）売り出しのうちの少なくとも１つを含む、請求項８に記載のシステム。
【請求項１１】
前記第１の複数の訪問の指示および前記第２の複数の訪問の指示を受け取るために、前記処理ハードウェアが、前記複数のユーザの前記第１のサブセットおよび前記第２のサブセットのうちの少なくとも一部について、チェックイン指示を受け取るように構成され、それぞれのチェックイン指示が、ソーシャルネットワーキングサービスによって生成される、請求項８に記載のシステム。
【請求項１２】
前記相関係数を決定するために、前記処理ハードウェアが、前記第１のサブセットおよび前記第２のサブセットの両方内に存在する前記複数の前記ユーザのうちのユーザについて、前記ユーザが前記第１のビジネス実体および前記第２のビジネス実体を訪問したそれぞれの時間を比較するように構成される、請求項８に記載のシステム。
【請求項１３】
前記相関係数を決定するために、前記処理ハードウェアが、前記第１の地理的位置と前記第２の地理的位置との間の距離を判定するように更に構成される、請求項１２に記載のシステム。
【請求項１４】
前記相関係数を決定するために、前記処理ハードウェアが、前記第１の地理的位置と前記第２の地理的位置とを含む地理的領域における前記複数のユーザのうちの少なくとも一部が辿る経路を復元するように更に構成される、請求項８に記載のシステム。
【請求項１５】
地理的アプリケーションにおいて商業コンテンツを効率的に使用することに関して自動誘導を提供するための方法であって、
地理的領域内の複数のユーザが辿る複数の経路の指示および対応する時間指示を、１つ以上のコンピューティングデバイスによって受け取ることと、
地理的地域内の第１の地理的位置の第１のビジネス実体と、第２の地理的位置の第２のビジネス実体とを、前記１つ以上のコンピューティングデバイスによって識別することであって、前記複数の経路のうちのいくつかが、特定の時間間隔内での第１の地理的位置と第２の地理的位置とを含む、ことと、
識別された第１のビジネス実体への訪問と第２のビジネス実体への訪問との間の高可能性因果関係を、前記１つ以上のコンピューティングデバイスによって判定することと、
第１の地理的位置の当事者の代わりに商業コンテンツを提供するための推奨を含む、第１のビジネス実体を運営する当事者への電子メッセージを、前記１つ以上のコンピューティングデバイスによって生成することと、を含む、方法。
【請求項１６】
第１の物理的位置に位置するユーザデバイス上で表示するために、前記１つ以上のコンピューティングデバイスによって前記第２のビジネス実体に関する商業コンテンツを提供することを更に含む、請求項１５に記載の方法。
【請求項１７】
前記高可能性因果関係を判定することは、前記第１の地理的位置と前記第２の地理的位置との間の距離を、前記１つ以上のコンピューティングデバイスによって判定することを更に含む、請求項１５に記載の方法。
【請求項１８】
前記複数の経路の指示および対応する時間指示が、地理的座標および時間スタンプをそれぞれが含むタプルのシーケンスを受け取ることを含む、請求項１５に記載の方法。
【請求項１９】
訪問間の前記高可能性因果関係を判定することが、前記ユーザが前記第１のビジネス実体および前記第２のビジネス実体を訪問したときの（ｉ）時刻、（ｉｉ）季節、または（ｉｉｉ）天候のうちの少なくとも１つを判定することを含む、請求項１８に記載の方法。
【請求項２０】
前記商業コンテンツが、（ｉ）広告、（ｉｉ）クーポン、または（ｉｉｉ）売り出しのうちの少なくとも１つを含む、請求項１５に記載の方法。